(57)【要約】【課題】遠心分離器を真空吸着する真空ポンプの寿命を延長することができる血液成分採取装置を提供すること。【解決手段】本発明の血液成分採取装置１は、遠心分離器２０と、採血・返血ライン２１と、抗凝固剤注入ライン２３と、抗凝固剤送液ポンプ１２と、遠心分離器２０のローターをターンテーブルを介して回転駆動する遠心分離器駆動装置と、遠心分離器２０のローターをターンテーブルに固定するためにローターとターンテーブルとの間の空間を減圧する真空ポンプと、抗凝固剤送液ポンプ１２、遠心分離器駆動装置および真空ポンプの作動を制御する制御部１３とを備える。制御部１３は、少なくとも、抗凝固剤注入ライン２３および採血・返血ライン２１に抗凝固剤を注入するプライミング動作の終了後から、採血を開始するまでの間は、真空ポンプの作動を休止するように制御する。【選択図】図２
2006026101.tif 000002
【特許請求の範囲】
【請求項１】
供血者から血液を採取する採血手段と、
内部に貯血空間を有するローターと、前記貯血空間に連通する流入口および排出口とを有し、前記ローターの回転により前記貯血空間内で血液を複数の血液成分に遠心分離する遠心分離器と、
前記採血手段と前記遠心分離器とを接続する採血ラインと、
前記遠心分離器により分離された血液成分を採取する血液成分採取バッグと、
前記採血ラインの途中に一端が接続された抗凝固剤注入ラインとを有する血液成分採取回路と、
前記抗凝固剤注入ラインの抗凝固剤を送液する抗凝固剤送液ポンプと、
前記ローターの底部を保持するターンテーブルと、該ターンテーブルを回転駆動するモータとを有する遠心分離器駆動装置と、
前記ローターを前記ターンテーブルに吸着するために前記ローターと前記ターンテーブルとの間の空間を減圧する真空ポンプと、
抗凝固剤送液ポンプ、前記遠心分離器駆動装置および前記真空ポンプの作動を制御する制御部とを備え、
採血の開始に先立って、前記抗凝固剤送液ポンプの作動により前記抗凝固剤注入ラインの他端から抗凝固剤を注入して前記採血ラインの少なくとも一部と前記抗凝固剤注入ラインとに該抗凝固剤を充填するプライミング動作を行う血液成分採取装置であって、
前記制御部は、少なくとも前記プライミング動作の終了後から採血を開始するまでの間は、前記真空ポンプの作動を休止するように制御することを特徴とする血液成分採取装置。
【請求項２】
前記制御部は、前記プライミング動作において、前記真空ポンプを作動して前記ローターを前記ターンテーブルに固定した状態で前記遠心分離器駆動装置の試験作動を行い、該試験作動後、前記真空ポンプの作動を休止するように制御する請求項１に記載の血液成分採取装置。
【請求項３】
前記真空ポンプの吸気口を前記ローターと前記ターンテーブルとの間の空間に連通させる状態と、前記真空ポンプの吸気口を大気に開放する状態とに切り替える切替弁を有し、
前記真空ポンプを休止状態から再起動する際、前記制御部は、前記真空ポンプの吸気口が大気に開放する状態で前記真空ポンプを起動した後、前記切替弁を切り替えて、前記真空ポンプの吸気口が前記ローターと前記ターンテーブルとの間の空間に連通する状態とする請求項１または２に記載の血液成分採取装置。
【請求項４】
前記遠心分離器が前記遠心分離器駆動装置に搬入されたことを検出する遠心分離器検出手段を備え、
前記制御部は、前記遠心分離器駆動装置に前記遠心分離器が搬入されたことが前記遠心分離器検出手段により検出したときに、前記真空ポンプを一旦作動させて前記ターンテーブルに前記ローターを吸着した後、前記真空ポンプの作動を休止するように制御する請求項１ないし３のいずれかに記載の血液成分採取装置。
【請求項５】
当該血液成分採取装置は、採取した血液を遠心分離し、所定の血液成分を採取する血液成分採取工程と、残りの血液成分を返還する血液成分返還工程とを有する血液成分採取操作を少なくとも１サイクル行うものであり、
前記制御部は、前記血液成分返還工程の際、前記真空ポンプの作動を休止するように制御する請求項１ないし４のいずれかに記載の血液成分採取装置。
【発明の詳細な説明】
【技術分野】
【０００１】
本発明は、血液成分採取装置に関する。
【背景技術】
【０００２】
採血を行う場合、血液の有効利用および供血者の負担軽減などの理由から、採血血液を遠心分離などにより各血液成分に分離し、輸血者に必要な成分だけを採取し、その他の成分は供血者（ドナー）に返還する成分採血が行われている。
【０００３】
このような成分採血において、例えば血小板製剤を得る場合、供血者から採血した血液を血液成分採取回路に導入し、該血液成分採取回路に設置された遠心ボウルと呼ばれる遠心分離器により、血漿、バフィーコートおよび赤血球に分離し、その内のバフィーコートから血小板（所定の血液成分）を分離し、容器に回収して血小板製剤とし、残りの血漿、白血球および赤血球は、供血者に返血することが行われる（例えば、特許文献１参照）。
【０００４】
成分採血装置では、遠心ボウルを高速回転させる必要があるので、遠心ボウルをターンテーブルに真空吸着する真空ポンプを設けて、遠心ボウルを確実にターンテーブルに固定するようにしている。
【０００５】
従来の成分採血装置では、血液成分採取回路を装置本体に装着し、遠心ボウルをターンテーブルにセットした後、供血者に対する血液成分採取操作（採血および返血）が終了するまでの間、真空ポンプをずっと作動させている。
【０００６】
このため、真空ポンプの稼働時間が長いので、真空ポンプの寿命が短くなってしまい、比較的早期に真空ポンプのオーバーホールや交換が必要になってしまうという問題がある。
【０００７】
【特許文献１】特表平８−５０９４０３号公報
【発明の開示】
【発明が解決しようとする課題】
【０００８】
本発明の目的は、遠心分離器を真空吸着する真空ポンプの寿命を延長することができる血液成分採取装置を提供することにある。
【課題を解決するための手段】
【０００９】
このような目的は、下記（１）〜（５）の本発明により達成される。
（１）  供血者から血液を採取する採血手段と、
内部に貯血空間を有するローターと、前記貯血空間に連通する流入口および排出口とを有し、前記ローターの回転により前記貯血空間内で血液を複数の血液成分に遠心分離する遠心分離器と、
前記採血手段と前記遠心分離器とを接続する採血ラインと、
前記遠心分離器により分離された血液成分を採取する血液成分採取バッグと、
前記採血ラインの途中に一端が接続された抗凝固剤注入ラインとを有する血液成分採取回路と、
前記抗凝固剤注入ラインの抗凝固剤を送液する抗凝固剤送液ポンプと、
前記ローターの底部を保持するターンテーブルと、該ターンテーブルを回転駆動するモータとを有する遠心分離器駆動装置と、
前記ローターを前記ターンテーブルに吸着するために前記ローターと前記ターンテーブルとの間の空間を減圧する真空ポンプと、
抗凝固剤送液ポンプ、前記遠心分離器駆動装置および前記真空ポンプの作動を制御する制御部とを備え、
採血の開始に先立って、前記抗凝固剤送液ポンプの作動により前記抗凝固剤注入ラインの他端から抗凝固剤を注入して前記採血ラインの少なくとも一部と前記抗凝固剤注入ラインとに該抗凝固剤を充填するプライミング動作を行う血液成分採取装置であって、
前記制御部は、少なくとも前記プライミング動作の終了後から採血を開始するまでの間は、前記真空ポンプの作動を休止するように制御することを特徴とする血液成分採取装置。
【００１０】
（２）  前記制御部は、前記プライミング動作において、前記真空ポンプを作動して前記ローターを前記ターンテーブルに固定した状態で前記遠心分離器駆動装置の試験作動を行い、該試験作動後、前記真空ポンプの作動を休止するように制御する上記（１）に記載の血液成分採取装置。
【００１１】
（３）  前記真空ポンプの吸気口を前記ローターと前記ターンテーブルとの間の空間に連通させる状態と、前記真空ポンプの吸気口を大気に開放する状態とに切り替える切替弁を有し、
前記真空ポンプを休止状態から再起動する際、前記制御部は、前記真空ポンプの吸気口が大気に開放する状態で前記真空ポンプを起動した後、前記切替弁を切り替えて、前記真空ポンプの吸気口が前記ローターと前記ターンテーブルとの間の空間に連通する状態とする上記（１）または（２）に記載の血液成分採取装置。
【００１２】
（４）  前記遠心分離器が前記遠心分離器駆動装置に搬入されたことを検出する遠心分離器検出手段を備え、
前記制御部は、前記遠心分離器駆動装置に前記遠心分離器が搬入されたことが前記遠心分離器検出手段により検出したときに、前記真空ポンプを一旦作動させて前記ターンテーブルに前記ローターを吸着した後、前記真空ポンプの作動を休止するように制御する上記（１）ないし（３）のいずれかに記載の血液成分採取装置。
【００１３】
（５）  当該血液成分採取装置は、採取した血液を遠心分離し、所定の血液成分を採取する血液成分採取工程と、残りの血液成分を返還する血液成分返還工程とを有する血液成分採取操作を少なくとも１サイクル行うものであり、
前記制御部は、前記血液成分返還工程の際、前記真空ポンプの作動を休止するように制御する上記（１）ないし（４）のいずれかに記載の血液成分採取装置。
【発明の効果】
【００１４】
本発明によれば、遠心分離器を真空吸着する真空ポンプの稼働時間を短くすることができるので、真空ポンプの耐久的負担が軽減され、真空ポンプの寿命を延長することができる。
【００１５】
特に、採血を開始する準備が整った状態で供血者が来るのを長時間待機するような場合であっても、真空ポンプの稼働時間が長くならないので、真空ポンプの寿命延長に極めて有利である。
【発明を実施するための最良の形態】
【００１６】
以下、本発明の血液成分採取装置を添付図面に示す好適な実施形態に基づいて詳細に説明する。
【００１７】
図１は、本発明の血液成分採取装置の実施形態を示す斜視図、図２は、図１に示す血液成分採取装置における血液成分採取回路を展開して示す図、図３は、図１に示す血液成分採取装置が備える遠心分離器駆動装置に装着された遠心分離器の部分破断断面図、図４は、図１に示す血液成分採取装置が備える遠心分離器駆動装置の断面側面図、図５は、遠心分離器を吸着する真空ポンプの吸引回路図である。
【００１８】
図１および図２に示す血液成分採取装置１は、血液を複数の血液成分に分離するとともに分離された血液成分を採取するための装置である。この血液成分採取装置１は、装置本体３と、装置本体３に対して着脱自在に設けられる血液成分採取回路（採取回路）２とを備えている。
【００１９】
図２に示すように、血液成分採取回路２は、内部に貯血空間１４６を有するローター１４２と、貯血空間１４６に連通する流入口１４３および排出口（流出口）１４４とを有し、ローター１４２の回転により流入口１４３より導入された血液を貯血空間１４６内で遠心分離する遠心分離器２０と、採血針（採血手段）２９と遠心分離器２０の流入口１４３とを接続する採血・返血ライン（採血ライン）２１と、遠心分離器２０の排出口１４４に接続された採取バッグ側ライン２２と、採血・返血ライン２１に接続された抗凝固剤注入ライン２３と、チューブ４９および５０を介して採血・返血ライン２１に接続され、かつチューブ４３および４４を介して採取バッグ側ライン２２に接続された血漿採取バッグ２５と、チューブ４２を介して採取バッグ側ライン２２に接続されたエアーバッグ２７ｂと、チューブ４３および４５を介して採取バッグ側ライン２２に接続された中間バッグ（一時貯留バッグ）２７ａと、チューブ４６、４７および４８を介して中間バッグ２７ａに接続された血小板採取バッグ２６と、チューブ５１を介して血小板採取バッグ２６に接続されたバッグ２８とを有している。
【００２０】
また、装置本体３は、遠心分離器２０のローター１４２を回転させるための遠心分離器駆動装置１０と、採血・返血ライン２１のための第１の送液ポンプ１１と、抗凝固剤注入ライン２３のための第２の送液ポンプ（抗凝固剤送液ポンプ）１２と、血液成分採取回路２の流路の途中を開閉し得る複数（本実施形態では、第１〜第７の７個）の流路開閉手段８１、８２、８３、８４、８５、８６、８７と、遠心分離器駆動装置１０、第１の送液ポンプ１１、第２の送液ポンプ１２および複数の流路開閉手段８１〜８７を制御するための制御部（制御部）１３と、濁度センサ（血小板濃度センサ）１４と、光学式センサ１５と、重量センサ１６と、複数（本実施形態では、６個）の気泡センサ３１、３２、３３、３４、３５、３６とを備えている。
【００２１】
血液成分採取回路２は、供血者（ドナー）から血液を採取する採血針（採血手段）２９と遠心分離器２０の流入口１４３とを接続し、第１のポンプチューブ２１ｇを備える採血・返血ライン２１と、一端側が遠心分離器２０の排出口（流出口）１４４に接続された採取バッグ側ライン２２と、採血・返血ライン２１の採血針２９の近くに接続され、第２のポンプチューブ２３ａを備える抗凝固剤注入ライン２３と、採血・返血ライン２１のポンプチューブ２１ｇより採血針２９側に接続されたチューブ５０と、チューブ５０に接続されたチューブ４９と、採取バッグ側ライン２２に接続されたチューブ４３と、チューブ４３に接続されたチューブ４４と、チューブ４４および４９に接続された血漿採取バッグ２５と、採取バッグ側ライン２２に接続されたチューブ４２と、チューブ４２に接続されたエアーバッグ２７ｂと、チューブ４３に接続されたチューブ４５と、チューブ４５に接続された中間バッグ２７ａと、中間バッグ２７ａに接続されたチューブ４６と、チューブ４６に接続されたチューブ４７と、チューブ４８と、チューブ４８に接続された血小板採取バッグ２６と、血小板採取バッグ２６に接続されたチューブ５１と、チューブ５１に接続されたバッグ２８とを備えている。エアーバッグ２７ｂと中間バッグ２７ａとは、一体的に形成（一体化）されている。
【００２２】
採血・返血ライン２１は、採血針２９が接続された採血針側ライン２１ａと、一端側が採血針側ライン２１ａに接続され、他端側が遠心分離器２０の流入口１４３に接続された遠心分離器側ライン２１ｂとを有している。採血針２９としては、例えば、公知の金属針が使用される。
【００２３】
この採血針側ライン２１ａ、遠心分離器側ライン２１ｂ、後述する採取バッグ側ライン２２、抗凝固剤注入ライン２３は、それぞれ、軟質樹脂製チューブ、または、その軟質樹脂製チューブが複数接続されて形成されている。
【００２４】
採血針側ライン２１ａは、採血針２９側より、抗凝固剤注入ライン２３との接続用分岐コネクター２１ｃと、気泡およびマイクロアグリゲート除去のためのチャンバー２１ｄと、チューブ５０との接続用分岐コネクター２１ｆとを備えている。
【００２５】
また、採血針側ライン２１ａのチューブには、装置本体３に設置された気泡センサ３５および３６と、気泡センサ３２とが、採血針２９側よりこの順で装着される。この場合、気泡センサ３５および３６は、分岐コネクター２１ｃとチャンバー２１ｄとの間に配置され、気泡センサ３２は、チャンバー２１ｄと分岐コネクター２１ｆとの間に配置される。
【００２６】
図１に示すように、気泡センサ３５および３６は、装置本体３の前面に上下に並んで設置されている。気泡センサ３２は、装置本体３の上面の手前側に、気泡センサ３１と並んで設置されている。
【００２７】
これらの気泡センサ３５、３６および３２は、円柱が溝を介して縦半分に分割されたような形状をなしており、この溝にチューブを挿入すると、チューブが溝に保持（挟持）される。気泡センサ３５、３６および３２は、チューブの外側から超音波を送受信し、液体と気泡とで超音波の透過率が異なるのを利用して、チューブ内に流れる液体中の気泡の有無を検出することができる。また、各気泡センサは、チューブ内が気体であるか液体であるかを検出することができるので、例えばプライミング時に液体（抗凝固剤）が到達したか否かを検出することもできる。
【００２８】
なお、気泡センサ３１、３３および３４も、同様の機能を有している。また、本発明では、気泡センサとしては、上記超音波式センサに限らず、光学式センサ、赤外線センサ等を用いてもよい。
【００２９】
図２に示すように、チャンバー２１ｄには、チューブ２１ｈを介して通気性かつ菌不透過性のフィルター２１ｉが接続されている。このラインは、例えば、採血針側ライン２１ａの内圧の検出等に用いることができる。
【００３０】
一方、遠心分離器側ライン２１ｂは、チューブ５０との接続用分岐コネクター２１ｆに接続されており、その途中に形成された第１のポンプチューブ２１ｇを有している。
【００３１】
採取バッグ側ライン２２は、その一端側が遠心分離器２０の排出口１４４に接続されている。この採取バッグ側ライン２２は、チューブ４２および４３との接続用分岐コネクター２２ｂとを備えている。
【００３２】
また、採取バッグ側ライン２２には、遠心分離器２０側より、濁度センサ１４および気泡センサ３４が装着される。濁度センサ１４および気泡センサ３４は、装置本体３においては上面の手前側にまとめて設置されており（図１参照）、回路上では遠心分離器２０と分岐コネクター２２ｂとの間に配置される。
【００３３】
また、分岐コネクター２２ｂには、チューブ４１を介して通気性かつ菌不透過性のフィルター２２ｆが接続されている。このラインは、例えば、採取バッグ側ライン２２の内圧の検出等に用いることができる。
【００３４】
抗凝固剤注入ライン２３は、その一端が採血・返血ライン２１に設けられた接続用分岐コネクター２１ｃに接続されている。すなわち、抗凝固剤注入ライン２３は、分岐コネクター（分岐部）２１ｃを介して採血・返血ライン２１から分岐している。また、分岐コネクター２１ｃは、採血針２９の近傍に位置している（設けられている）。
【００３５】
この抗凝固剤注入ライン２３は、分岐コネクター２１ｃ側より、第２のポンプチューブ２３ａと、除菌フィルター（異物除去用フィルター）２３ｂと、気泡除去用チャンバー２３ｃと、抗凝固剤容器接続用針２３ｄとを備えている。
【００３６】
また、抗凝固剤注入ライン２３には、気泡センサ３１が装着される。この気泡センサ３１は、装置本体３においては前述したように気泡センサ３２と並んで設置されており、回路上では分岐コネクター２１ｃと第２のポンプチューブ２３ａとの間に配置される。
【００３７】
この抗凝固剤注入ライン２３の抗凝固剤容器接続用針２３ｄは、抗凝固剤（抗凝固剤液）が収納（収容）されたバッグ（容器）６１に接続され、これにより、容器内の抗凝固剤は、後述するように、抗凝固剤容器接続用針２３ｄから分岐コネクター２１ｃに向かって抗凝固剤注入ライン２３を流れ、採血針側ライン２１ａに供給（注入）される。これにより、例えば、抗凝固剤注入ライン２３を介して、採血針２９により採取された血液に抗凝固剤を添加（混合）することができる。
【００３８】
なお、抗凝固剤としては、特に限定されないが、例えば、ＡＣＤ−Ａ液等を用いることができる。
【００３９】
血液成分採取バッグである血漿採取バッグ２５は、血漿を採取（貯留）するための容器である。チューブ４９の一端は、この血漿採取バッグ２５に接続され、その途中に接続用分岐コネクター２２ｄが設けられている。そして、チューブ５０の一端は、この分岐コネクター２２ｄに接続され、他端は、分岐コネクター２１ｆに接続されている。
【００４０】
また、チューブ４３の一端は、分岐コネクター２２ｂに接続され、その他端には、接続用分岐コネクター２２ｃが設けられている。そして、チューブ４４の一端は、この分岐コネクター２２ｃに接続され、他端は、血漿採取バッグ２５に接続されている。
【００４１】
また、チューブ４６の途中には、気泡センサ３３が装着される。気泡センサ３３は、装置本体３においては、上面の奥側に設置されている（図１参照）。
【００４２】
なお、血漿採取バッグ２５、チューブ４３および４４により、血漿を採取する血漿採取用分岐ラインが構成されている。
【００４３】
血液成分採取バッグである血小板（血小板製剤）採取バッグ２６は、後述する白血球除去フィルター２６１を通過した後の血小板を含む血漿を採取（貯留）するための容器である。なお、以下の説明では、血小板を含む血漿を、「濃厚血小板」と言い、血小板採取バッグ２６内に採取（貯留）された濃厚血小板を、「血小板製剤」と言う。
【００４４】
チューブ５１の一端は、この血小板採取バッグ２６に接続され、その他端にはバッグ２８が接続されている。
【００４５】
エアーバッグ２７ｂは、空気（エアー）を一時的に収納（貯留）するための容器である。
【００４６】
後述する採血の際は、遠心分離器２０の貯血空間１４６内等の血液成分採取回路２内の空気（滅菌空気）は、このエアーバッグ２７ｂ内に移送され、収納される。そして、返血工程（血液成分返還工程）の際、エアーバッグ２７ｂ内に収納されている空気は、遠心分離器２０の貯血空間１４６内に移送され、戻される。これにより、所定の血液成分が、供血者へ返還される。
【００４７】
チューブ４２の一端は、分岐コネクター２２ｂに接続され、他端は、このエアーバッグ２７ｂに接続されている。
【００４８】
血液成分採取バッグである中間バッグ（一時貯留バッグ）（第１の容器）２７ａは、濃厚血小板（第１の血液成分）を採取（一時的に貯留）するための容器（貯留部）である。チューブ４５の一端は、分岐コネクター２２ｃに接続され、他端は、この中間バッグ２７ａに接続されている。
【００４９】
また、チューブ４６の一端は、この中間バッグ２７ａに接続され、その他端には、接続用分岐コネクター２２ｅが設けられている。前記チューブ４９の他端は、この分岐コネクター２２ｅに接続されている。
【００５０】
また、接続用分岐コネクター２２ｅには、チューブ４７の一端が接続され、このチューブ４７の途中には、濃厚血小板中から白血球（所定の細胞）を分離除去する白血球除去フィルター（細胞分離フィルター）（濾過器）２６１が設置されている。
【００５１】
また、チューブ４７の他端には、接続用分岐コネクター２２ｇが設けらており、一端が前記血小板採取バッグ２６に接続されたチューブ４８の他端が、この分岐コネクター２２ｇに接続されている。
【００５２】
また、分岐コネクター２２ｇのポートには、ベントフィルターが設けられたフィルター本体およびキャップを備えたフィルター２２ｈが設置されている。
【００５３】
ここで、チューブ４６および４７は、中間バッグ２７ａから白血球除去フィルター２６１に濃厚血小板を供給する供給用チューブを構成し、また、チューブ４８は、白血球除去フィルター２６１から白血球を分離除去した後の濃厚血小板を排出する（血小板採取バッグ２６に供給する）排出用チューブを構成する。
【００５４】
すなわち、チューブ４６、４７、４８、中間バッグ２７ａ、白血球除去フィルター２６１および血小板採取バッグ２６により、濃厚血小板から白血球を分離除去する濾過ラインが構成されている。
【００５５】
血液成分採取装置１を組み立てた状態で（血液成分採取装置１を使用する際）、これらの中間バッグ２７ａ、白血球除去フィルター２６１、血小板採取バッグ２６および血漿採取バッグ２５は、それぞれ、中間バッグ２７ａが血漿採取バッグ２５より低い位置（鉛直方向下方）に、白血球除去フィルター２６１が中間バッグ２７ａより低い位置に、さらに、血小板採取バッグ２６が白血球除去フィルター２６１より低い位置にセットされる（位置する）。そして、中間バッグ２７ａおよび血漿採取バッグ２５は、それぞれ、遠心分離器２０のローター１４２の貯血空間１４６より高い位置（鉛直方向上方）に位置する。
【００５６】
この場合、装置本体３には、血漿採取バッグ２５と、中間バッグ２７ａおよびエアーバッグ２７ｂと、バッグ６１とを着脱自在に支持する支持部であるハンガー（フック）３０１、３０２および３０３が、それぞれ、設けられている。
【００５７】
また、白血球除去フィルター２６１としては、例えば、両端に流入口および排出口を有するケーシング内に、例えば、ポリプロピレン、ポリエステル、ポリウレタン、ポリアミド等の合成樹脂よりなる織布、不織布、メッシュ、発泡体等の多孔質体を１層または２層以上積層した濾過部材を挿入して構成したもの等を用いることができる。
【００５８】
上述した第１〜抗凝固剤注入ライン２１〜２３の形成に使用される各チューブ、各ポンプチューブ２１ｇ、２３ａ、さらに、その他の各チューブ４１〜５１、２１ｈの構成材料としては、それぞれ、ポリ塩化ビニルが好ましい。
【００５９】
これらのチューブがポリ塩化ビニル製であれば、十分な可撓性、柔軟性が得られるので取り扱いがし易く、また、クレンメ等による閉塞にも適するからである。
【００６０】
また、上述した各分岐コネクター２１ｃ、２１ｆ、２２ｂ、２２ｃ、２２ｄ、２２ｅ、２２ｇの構成材料についても、それぞれ、前記チューブで挙げた構成材料と同様のものを用いることができる。
【００６１】
なお、各ポンプチューブ２１ｇ、２３ａとしては、それぞれ、後述する各送液ポンプ（例えば、ローラーポンプ等）１１、１２により押圧されても損傷を受けない程度の強度を備えるものが使用されている。
【００６２】
血漿採取バッグ２５、血小板採取バッグ２６、中間バッグ２７ａ、エアーバッグ２７ｂ、バッグ２８および６１は、それぞれ、樹脂製の可撓性を有するシート材を重ね、その周縁部を融着（熱融着、高周波融着、超音波融着等）または接着剤により接着等して袋状にしたものが使用される。なお、前述したように、エアーバッグ２７ｂと中間バッグ２７ａとは、一体的に形成（一体化）されている。
【００６３】
各バッグ２５、２６、２７ａ、２７ｂ、２８、６１に使用される材料としては、それぞれ、例えば、軟質ポリ塩化ビニルが好適に使用される。
【００６４】
なお、血小板採取バッグ２６に使用されるシート材としては、血小板保存性を向上するためにガス透過性に優れるものを用いることがより好ましい。
【００６５】
このようなシート材としては、例えば、ポリオレフィンやＤｎＤＰ可塑化ポリ塩化ビニル等を用いること、また、このような素材を用いることなく、上述したような材料のシート材を用い、厚さを比較的薄く（例えば、０．１〜０．５ｍｍ程度、特に、０．１〜０．３ｍｍ程度）したものが好適である。
【００６６】
このような血液成分採取回路２の主要部分は、例えば、カセット式となっている。すなわち、血液成分採取回路２は、各ライン（採血・返血ライン２１、採取バッグ側ライン２２、抗凝固剤注入ライン２３）および所定の各チューブを部分的に収納し、かつ部分的にそれらを保持し、言い換えれば、部分的にそれらが固定されたカセットハウジング７０を備えている。
【００６７】
このカセットハウジング７０には、第１のポンプチューブ２１ｇの両端および第２のポンプチューブ２３ａの両端が固定され、これらのポンプチューブ２１ｇ、２３ａは、それぞれ、カセットハウジング７０より、各送液ポンプ（例えば、ローラーポンプ等）１１、１２の形状に対応したループ状に突出している。このため、第１および第２のポンプチューブ２１ｇ、２３ａは、それぞれ、各送液ポンプ１１、１２への装着が容易である。また、このカセットハウジング７０には、後述する各流路開閉手段８１〜８７が挿入可能な孔（開口）が形成されている。
【００６８】
血液成分採取回路２に設けられている遠心分離器２０は、通常、遠心ボウルと呼ばれており、遠心力により血液を複数の血液成分に分離する。
【００６９】
図１に示すように、装置本体３には、遠心分離器２０のローター１４２を回転させる遠心分離器駆動装置１０が内蔵されている。遠心分離器２０は、装置本体３に設置された遠心部カバー３７を開いて、遠心分離器駆動装置１０に着脱される。遠心部カバー３７は、ヒンジ部３８を中心に回動することにより開閉する半円形の２枚の扉で構成される。ヒンジ部３８の反対側に設けられたロックつまみ３９を回すと、遠心部カバー３７が開かないようにロックしたり、そのロックを解除したりすることができる。
【００７０】
図３に示すように、遠心分離器２０は、上端に流入口１４３が形成された鉛直方向に伸びる管体１４１と、管体１４１の回りで回転し、上部１４５に対し液密にシールされた中空のローター１４２とを有している。
【００７１】
ローター１４２の底部は、遠心分離器駆動装置１０のターンテーブル１０４に吸着保持され、ローター１４２は、ターンテーブル１０４とともに回転する。遠心分離器駆動装置１０については、後述する。
【００７２】
ローター１４２には、その周壁内面に沿って環状の貯血空間１４６が形成されている。この貯血空間１４６は、図３中下部から上部に向けてその内外径が漸減するような形状（テーパ状）をなしており、その下部は、ローター１４２の底部に沿って形成されたほぼ円盤状の流路を介して管体１４１の下端開口に連通し、その上部は、排出口（流出口）１４４に連通している。また、ローター１４２において、貯血空間１４６の容積は、例えば、１００〜３５０ｍＬ程度とされ、ローター１４２の回転軸からの最大内径（最大半径）は、例えば、５５〜６５ｍｍ程度とされる。
【００７３】
ローター１４２は、遠心分離器駆動装置１０の作動により、あらかじめ設定された所定の遠心条件（回転速度および回転時間）で回転する。この遠心条件により、ローター１４２内の血液の分離パターン（例えば、分離する血液成分数）を設定することができる。本実施形態では、血液がローター１４２の貯血空間１４６内で内層より血漿層１３１、バフィーコート層１３２および赤血球層１３３に分離されるように遠心条件が設定される。
【００７４】
装置本体３の、遠心分離器２０を収納するハウジング３０には、遠心分離器２０の側方の位置に光学式センサ１５が設置されている。
【００７５】
この光学式センサ１５は、貯血空間１４６に向って投光するとともにその反射光を受光するように構成されている。
【００７６】
光学式センサ１５は、投光部１５１から光（例えばレーザー光）を照射（投光）し、ローター１４２の反射面１４７で反射された反射光を受光部１５２で受光する。そして、受光部１５２においてその受光光量に応じた電気信号に変換される。
【００７７】
ここで、光学式センサ１５は、片面に反射面を有し、光路を変更する反射板１５３を有しており、投光部１５１から照射された光は、反射板１５３を介して反射面１４７に照射され、反射面１４７で反射した光は、反射板１５３を介して受光部１５２で受光されるように構成されている。
【００７８】
このとき、投光光および反射光は、それぞれ、貯血空間１４６内の血液成分を透過するが、血液成分の界面（本実施形態では、血漿層１３１とバフィーコート層１３２との界面Ｂ）の位置に応じて、投光光および反射光が透過する位置における各血液成分の存在比が異なるため、それらの透過率が変化する。これにより、受光部１５２での受光光量が変動（変化）し、この変動を受光部１５２からの出力電圧の変化として検出することができる。
【００７９】
すなわち、光学式センサ１５は、受光部１５２での受光光量の変化に基づき、血液成分の界面の位置を検出することができる。
【００８０】
なお、光学式センサ１５が検出する血液成分の界面としては、界面Ｂに限られず、例えば、バフィーコート層１３２と赤血球層１３３との界面であってもよい。
【００８１】
ここで、貯血空間１４６内の各層１３１〜１３３は、それぞれ、血液成分により色が異なっており、特に、赤血球層１３３は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【００８２】
また、光学式センサ１５は、遠心分離器２０の有無も検出可能になっており、遠心分離器駆動装置１０に遠心分離器２０を装着する際には、ターンテーブル１０４上に遠心分離器２０が搬入（装着）されたことを検出する遠心分離器検出手段として機能する。
【００８３】
図１および図２に示すように、装置本体３は、各種の情報を表示（報知）する表示手段（報知手段）および各操作を行なう操作手段である表示・操作部１７と、遠心分離器駆動装置１０、第１の送液ポンプ１１、第２の送液ポンプ１２、複数の流路開閉手段８１〜８７および表示・操作部１７を制御する制御部（制御手段）１３とをさらに備えている。
【００８４】
制御部１３は、第１の送液ポンプ１１および第２の送液ポンプ１２のための２つのポンプコントローラ（図示せず）を備え、制御部１３と第１の送液ポンプ１１および第２の送液ポンプ１２とはポンプコントローラを介して電気的に接続されている。
【００８５】
遠心分離器駆動装置１０が備える駆動コントローラ（図示せず）は、制御部１３と電気的に接続されている。
【００８６】
各流路開閉手段８１〜８７は、それぞれ、制御部１３に電気的に接続されている。
また、濁度センサ１４、光学式センサ１５、重量センサ１６、気泡センサ３１〜３６、表示・操作部１７は、それぞれ、制御部１３と電気的に接続されている。
【００８７】
制御部１３は、例えばマイクロコンピュータで構成されており、制御部１３には、上述した濁度センサ１４、光学式センサ１５、重量センサ１６、気泡センサ３１〜３６からの検出信号が、それぞれ、随時入力される。また、表示・操作部１７からの信号（入力）も、制御部１３に入力される。
【００８８】
制御部１３は、濁度センサ１４、光学式センサ１５、重量センサ１６、気泡センサ３１〜３６からの検出信号および表示・操作部１７からの信号に基づき、予め設定されたプログラムに従って、血液成分採取装置１の各部の作動、すなわち、各送液ポンプ１１、１２の回転、停止、回転方向（正転／逆転）を制御するとともに、必要に応じ、各流路開閉手段８１〜８７の開閉、遠心分離器駆動装置１０の作動および表示・操作部１７の駆動をそれぞれ制御する。
【００８９】
第１の流路開閉手段８１は、第１のポンプチューブ２１ｇより採血針２９側、すなわち、分岐コネクター２１ｆとチャンバー２１ｄとの間において採血・返血ライン２１を開閉するために設けられている。
【００９０】
第２の流路開閉手段８２は、チューブ５０を開閉するために設けられている。第３の流路開閉手段８３は、チューブ４４を開閉するために設けられている。第４の流路開閉手段８４は、チューブ４５を開閉するために設けられている。第５の流路開閉手段８５は、チューブ４２を開閉するために設けられている。第６の流路開閉手段８６は、チューブ４９を開閉するために設けられている。第７の流路開閉手段８７は、チューブ４７を開閉するために設けられている。
【００９１】
各流路開閉手段８１〜８７は、それぞれ、採血・返血ライン２１、チューブ５０、４４、４５、４２、４９、４７を挿入可能な挿入部を備え、該挿入部には、例えば、ソレノイド、電動モーター、シリンダ（油圧または空気圧）等の駆動源で作動するクランプを有している。具体的には、ソレノイドで作動する電磁クランプが好適である。
【００９２】
これらの流路開閉手段（クランプ）８１〜８７は、それぞれ、制御部１３からの信号に基づいて作動する。
【００９３】
表示・操作部１７は、例えば、液晶表示パネル、ＥＬ表示パネル等を備えたタッチパネル等で構成される。
【００９４】
なお、各種の情報を表示（報知）する表示手段（報知手段）である表示部（例えば、液晶表示パネル、ＥＬ表示パネル等）と、各操作を行なう操作手段である操作部（例えば、操作ボタン、操作スイッチ、操作ダイヤル等）とを、別個に設けてもよい。
【００９５】
濁度センサ１４は、採取バッグ側ライン２２中を流れる流体の濁度（血小板の濃度）を検知するためのものであり、濁度に応じた電圧値を出力する。具体的には、濁度センサ１４は、濁度が高い時には低電圧値、濁度が低い時には高電圧値を出力する。
【００９６】
この濁度センサ１４により、例えば、採取バッグ側ライン２２中を流れる血漿中の血小板濃度、血漿中の血小板濃度の変化、血漿中への赤血球の混入等を検出することができる。濁度センサ１４としては、例えば、超音波センサ、光学式センサ、赤外線センサ等を用いることがきる。
【００９７】
重量センサ１６は、血漿の重量を血漿採取バッグ２５ごと重量測定することができる。
また、気泡センサ３４により、例えば、採取バッグ側ライン２２中を流れる流体の空気から血漿への置換等を検出することができる。
【００９８】
第１のポンプチューブ２１ｇが装着される第１の送液ポンプ１１、および、第２のポンプチューブ２３ａが装着される第２の送液ポンプ１２としては、それぞれ、例えば、ローラーポンプなどの非血液接触型ポンプが好適に用いられる。
【００９９】
また、第１の送液ポンプ（血液ポンプ）１１としては、いずれの方向にも血液を送ることができるものが使用される。具体的には、正回転と逆回転が可能なローラーポンプが用いられている。
【０１００】
図４に示すように、遠心分離器駆動装置１０は、ハウジング３０に固定部材１０２を介して固定されたモータ１０１と、モータ１０１の回転軸１０３の上端側に固定されたターンテーブル１０４とを有している。
【０１０１】
ターンテーブル１０４は、遠心分離器２０のローター１４２の底部が挿入（嵌合）し得る凹部１０５を有しており、凹部１０５の中央部には、ローター１４２を真空吸引する吸引口１０６が形成されている。吸引口１０６には、異物が中に落ちないように、図示しないメッシュ状の覆いが設置される。
【０１０２】
ターンテーブル１０４の凹部１０５の縁部には、吸着時にローター１４２の底部外周部とターンテーブル１０４との間の気密性を確保するためのシール部材（パッキン）１０８が設置されている。
【０１０３】
ハウジング３０の内周部には、ハウジング３０の内周面とターンテーブル１０４の外周部との隙間から中に異物が落ちないようにするための円環状のガード部材３０４が設置されている。
【０１０４】
また、モータ１０１の下側には、遠心回転中に遠心分離器２０が万一破損して血液が流失した際、その血液を受けるためのドレンボウル３０５が設置されている。
【０１０５】
モータ１０１の回転軸１０３の中心部には、吸引口１０６に連通する中空部１０７が軸方向に沿って形成されている。中空部１０７は、回転軸１０３の下側に接続されたホース９１に連通している。
【０１０６】
図５に示すように、ホース９１から続く流路９２は、流路９２１、９２２および９２３に分岐している。流路９２１、９２２は、それぞれ、電磁弁で構成される切替弁９３、９４に接続されている。切替弁９３は、流路９５を介して真空ポンプ９０の排気口９０２に接続されており、切替弁９４は、流路９６を介して真空ポンプ９０の吸気口９０１に接続されている。
【０１０７】
また、流路９２３は、吸引回路内の圧力を検出する圧力センサ９７に接続されている。圧力センサ９７が検出した圧力信号は、制御部１３へ入力される。
【０１０８】
真空ポンプ９０の作動は、制御部１３により制御される。真空ポンプ９０の種類は特に限定されず、例えば遠心式真空ポンプ、油回転真空ポンプ等の回転式真空ポンプや、往復式真空ポンプ等を用いることができる。
【０１０９】
切替弁９３は、真空ポンプ９０の排気口９０２を大気に開放する状態と、排気口９０２を流路９２、ホース９１および中空部１０７を介してターンテーブル１０４の吸引口１０６に連通させる状態とに切り替え可能になっている。以下、切替弁９３の前者の状態を「大気開放側」、後者の状態を「ターンテーブル側」と言う。
【０１１０】
切替弁９４は、真空ポンプ９０の吸気口９０１をサイレンサ９８を介して大気に開放する状態と、吸気口９０１を流路９２、ホース９１および中空部１０７を介してターンテーブル１０４の吸引口１０６に連通させる状態とに切り替え可能になっている。以下、切替弁９４の前者の状態を「大気開放側」、後者の状態を「ターンテーブル側」と言う。
これら切替弁９３、９４の作動は、制御部１３により制御される。
【０１１１】
遠心分離器駆動装置１０を作動させる際には、切替弁９３が大気開放側、切替弁９４がターンテーブル側とされる。これにより、真空ポンプ９０の吸引力を、ホース９１および中空部１０７を介して吸引口１０６に及ぼして、ローター１４２とターンテーブル１０４との間の空間を減圧し、ローター１４２をターンテーブル１０４に吸着固定することができる。これにより、ローター１４２を安全に高速回転させることができる。
【０１１２】
さて、以上説明したような血液成分採取装置１を用いて供血者から採血を行う際には、新しい血液成分採取回路２を装置本体３に装着した後、バッグ６１内の抗凝固剤を抗凝固剤注入ライン２３の全部と採血・返血ライン２１の採血針２９からチャンバー２１ｄまでとに充填するプライミング動作を行い、その後、供血者に対する採血を開始する。
【０１１３】
本発明の血液成分採取装置１では、後に詳述するように、少なくともプライミング動作の終了後から採血（血液成分採取操作）を開始するまでの間は、真空ポンプ９０の作動を休止するようにした。これにより、真空ポンプ９０の稼働時間を従来よりも短くすることができるので、真空ポンプ９０の耐久的負担が軽減され、よって、真空ポンプ９０の寿命を従来より延長することができる。
【０１１４】
成分採血の現場においては、通常、新しい血液成分採取回路２を装置本体３に装着してプライミング動作を終えた状態、すなわち採血を開始する準備が整った状態で供血者が来るのを待機する。しかしながら、供血者はいつ現れるか分からないので、この状態で長時間待機する場合がある。従来の装置ではこの間もずっと真空ポンプ９０を作動させていたので、真空ポンプ９０の稼働時間が長くなっていた。これに対し、本発明では、プライミング動作後採血を開始するまでは真空ポンプ９０の作動を休止するようにしたので、供血者が来るのを待機している間、真空ポンプ９０が無駄に稼動を続けるのを回避することができ、真空ポンプ９０の寿命延長に極めて有利である。
【０１１５】
図６は、血液成分採取回路２の装置本体３への装着時からプライミング動作時を経て採血開始に至るまでの、真空ポンプ９０に対する制御部１３の制御を示すフローチャートである。以下、同図に基づいて、本発明の血液成分採取装置１における真空ポンプ９０の作動状態について説明する。
【０１１６】
遠心部カバー３７が開かれ、新しい血液成分採取回路２の遠心分離器２０がターンテーブル１０４上に搬入されると、光学式センサ１５がこれを検出する（ステップＳ００１）。
【０１１７】
光学式センサ１５が遠心分離器２０を検出したら、切替弁９３を大気開放側、切替弁９４をターンテーブル側の状態として（ステップＳ００２）、真空ポンプ９０を起動する（ステップＳ００３）。これにより、遠心分離器２０がターンテーブル１０４に吸着されて、ローター１４２の底部がターンテーブル１０４の凹部１０５の奥までしっかりと挿入されるので、遠心部カバー３７を容易に閉じることができる。
【０１１８】
制御部１３は、圧力センサ９７により吸引回路内の圧力低下を検出することにより、遠心分離器２０がターンテーブル１０４に吸着されたのを確認することができる（ステップＳ００４）。また、遠心部カバー３７には、ヒンジ部３８の開き角度およびロックつまみ３９の締結／解除を検出するセンサが設けられており、制御部１３は、これらのセンサにより、遠心部カバー３７が閉じられたのを確認することができる（ステップＳ００５）。
【０１１９】
制御部１３は、遠心分離器２０が吸着されたこと、および遠心部カバー３７が閉じられたことを検出したら、切替弁９４を大気開放側に切り替えた後（ステップＳ００６）、真空ポンプ９０を停止させる（ステップＳ００７）。
【０１２０】
以上のように、本実施形態では、遠心分離器駆動装置１０に遠心分離器２０が搬入された後、真空ポンプ９０を一旦作動させてから、真空ポンプ９０を休止させる。これにより、遠心部カバー３７を閉じ易くなるとともに、真空ポンプ９０の稼働時間が長くなることも防止することができ、真空ポンプ９０の寿命をより長くすることができる。
【０１２１】
血液成分採取回路２が装置本体３に装着された後、表示・操作部１７に表示されたプライミング開始ボタンをオペレーター（看護士）が押下すると（ステップＳ００８）、第２の送液ポンプ１２が回転して、プライミング動作が開始される。
【０１２２】
本実施形態では、プライミング動作中に遠心分離器駆動装置１０の試験作動を行うようにしているので、制御部１３は、プライミング開始ボタンが押下されたのを検出したら、ローター１４２をターンテーブル１０４に吸着固定するため、真空ポンプ９０を再度起動する（ステップＳ００９）。このとき、ステップＳ００６において切替弁９４が大気開放側になっていて真空ポンプ９０の吸気口９０１が大気開放しており、真空ポンプ９０の起動抵抗が小さいので、真空ポンプ９０の負荷を軽減することができる。
【０１２３】
真空ポンプ９０の起動後、切替弁９４をターンテーブル側に切り替えると（ステップＳ０１０）、真空ポンプ９０の吸引力がターンテーブル１０４の吸引口１０６に作用し、ローター１４２がターンテーブル１０４に吸着固定される。
【０１２４】
このように、本実施形態では、真空ポンプ９０を休止状態から再起動する際、真空ポンプ９０の吸気口９０１が大気開放する状態で起動した後に、吸気口９０１をターンテーブル１０４側に連通させるようにしたので、再起動時の真空ポンプ９０の負担を軽減することができる。よって、真空ポンプ９０の寿命をより長くすることができる。
【０１２５】
制御部１３は、圧力センサ９７により吸引回路内の圧力低下を検出して、遠心分離器２０がターンテーブル１０４に吸着されたのを確認したら（ステップＳ０１１）、モータ１０１を起動して遠心回転を開始し、遠心分離器駆動装置１０の試験作動を開始する（ステップＳ０１２）。
【０１２６】
遠心分離器駆動装置１０の試験作動が終了し、遠心回転が停止したのを検出したら（ステップＳ０１３）、切替弁９４を大気開放側に切り替えた後（ステップＳ０１４）、真空ポンプ９０を停止させる（ステップＳ０１５）。なお、プライミング動作が終了するのを待ってから真空ポンプ９０を停止するようにしてもよい。
【０１２７】
この後、採血が開始されるまで、真空ポンプ９０は休止する。これにより、前述したように、この状態で供血者が来るのを長時間待機するような場合であっても真空ポンプ９０には負担とならず、真空ポンプ９０の寿命延長に有利である。
【０１２８】
供血者が現れたら、オペレーターは、この供血者の血管に採血針２９を穿刺する。そして、表示・操作部１７に表示された採血開始ボタンをオペレーターが押下すると、採血（血液成分採取操作）が開始される。
【０１２９】
制御部１３は、採血開始ボタンが押下されたのを検出したら（ステップＳ０１６）、真空ポンプ９０を再度起動する（ステップＳ０１７）。真空ポンプ９０の起動後、切替弁９４をターンテーブル側に切り替えると（ステップＳ０１８）、真空ポンプ９０の吸引力がターンテーブル１０４の吸引口１０６に作用し、ローター１４２がターンテーブル１０４に吸着固定される。この再起動時も、前記と同様に、真空ポンプ９０の吸気口９０１が大気開放する状態で起動した後に、吸気口９０１をターンテーブル１０４側に連通させるようにしたので、再起動時の真空ポンプ９０の負担を軽減することができ、真空ポンプ９０の寿命をより長くすることができる。
【０１３０】
制御部１３は、圧力センサ９７により吸引回路内の圧力低下を検出して、遠心分離器２０がターンテーブル１０４に吸着されたのを確認したら（ステップＳ０１９）、モータ１０１を起動して遠心回転を開始する（ステップＳ０２０）。
【０１３１】
この後、血液成分採取装置１は、以下に説明する血小板採取操作（血液成分採取操作）を行うが、その間、真空ポンプ９０は、連続的に作動させる。
【０１３２】
以下、血液成分採取装置１が行う血小板採取操作について、図７および図８に示すフローチャートを参照しつつ説明する。
【０１３３】
血液成分採取装置１は、制御部１３の制御により、第１の血漿採取工程と、定速血漿循環工程と、第２の血漿採取工程と、加速血漿循環工程と、第３の血漿採取工程と、血小板採取工程と、返血工程（血液成分返還工程）とを有する血小板採取操作を行なうよう作動する。この血小板採取操作は、少なくとも１回行われる。
【０１３４】
本実施形態では、血小板採取操作を繰り返して複数回（第１サイクル〜第ｎサイクル、ｎは２以上の整数）行なうようになっている。
【０１３５】
また、最終サイクルの血小板採取操作を行なうのに並行して、血液成分採取装置１は、制御部１３の制御により、中間バッグ２７ａ内に一時的に採取（貯留）した濃厚血小板を、白血球除去フィルター２６１に供給して、濃厚血小板中の白血球を分離除去する濾過操作（濾過工程）を行なうよう構成されている。
【０１３６】
この濾過操作を開始するタイミングは、特に限定されないが、供血者の拘束時間を短縮する観点からは、この濾過操作を、最終サイクルの血小板採取操作と同時に（特に、血小板採取操作の早い段階の工程において）開始するのが好ましい。なお、本実施形態の血液成分採取装置１では、濾過操作を最終サイクルの血小板採取操作における第２の血漿採取工程の開始とほぼ同時に開始するように構成されているが、フローチャートには、その濾過操作（濾過工程開始）のステップの記載を省略する。
【０１３７】
［１］  第１サイクルの血小板採取操作（図７および図８参照）
［１１］  まず、血液成分採取装置１は、第１の血漿採取工程を行なう。第１の血漿採取工程では、ローター１４２の貯血空間１４６内に血液を導入し、血液を遠心分離することにより分離された血漿（ＰＰＰ）を血漿採取バッグ２５内に採取する。
【０１３８】
第１の血漿採取工程では、まず、制御部１３は、血漿（第２の血液成分）の採取を行なう（図７のステップＳ１０１）。
【０１３９】
具体的には、制御部１３の制御により、第１の流路開閉手段８１および第５の流路開閉手段８５を開放し、他の流路開閉手段を閉塞した状態で、第１の送液ポンプ１１を所定の回転速度（好ましくは２５０ｍＬ／min以下程度、より好ましくは４０〜１５０ｍＬ／min程度、例えば６０ｍＬ／min）で作動（正転）して、供血者から採血を開始する。
【０１４０】
また、この採血と同時に、制御部１３の制御により、第２の送液ポンプ１２を作動して、抗凝固剤注入ライン２３を介して、例えばＡＣＤ−Ａ液のような抗凝固剤を供給し、この抗凝固剤を採血血液中に混入させる。
【０１４１】
このとき、第２の送液ポンプ１２の回転速度は、制御部１３により、採血血液に対して抗凝固剤が所定比率（好ましくは１／２０〜１／６程度、例えば１／１０）で混合されるように制御される。
【０１４２】
これにより、血液（抗凝固剤添加血液）は、採血・返血ライン２１を介して移送され、遠心分離器２０の流入口１４３より管体１４１を経てローター１４２の貯血空間１４６内に導入される。
【０１４３】
このとき、遠心分離器２０内の空気（滅菌空気）は、採取バッグ側ライン２２およびチューブ４２を介してエアーバッグ２７ｂ内に送り込まれる。
【０１４４】
また、前記採血と同時にまたはこれと前後して、制御部１３は、遠心分離器駆動装置１０を作動し、ローター１４２を所定の回転数で回転するよう制御する。
【０１４５】
このローター１４２の回転により、貯血空間１４６内に導入された血液は、内側から血漿層（ＰＰＰ層）１３１、バフィーコート層（ＢＣ層）１３２、赤血球層（ＣＲＣ層）１３３の３層に分離される。
【０１４６】
なお、ローター１４２の回転数としては、好ましくは３０００〜６０００ｒｐｍ程度、より好ましくは４２００〜５８００ｒｐｍ程度とされる。また、以下の工程において、特に記載しない限り、制御部１３は、ローター１４２の回転数を変更させない。
【０１４７】
さらに、前記採血および前記抗凝固剤の供給を継続し、貯血空間１４６の容量を越える血液（約２７０ｍＬ）が貯血空間１４６内に導入されると、貯血空間１４６内は血液により満たされ、遠心分離器２０の排出口１４４から血漿（ＰＰＰ）が流出する。
【０１４８】
このとき、採取バッグ側ライン２２に設置された気泡センサ３４は、採取バッグ側ライン２２中を流れる流体が、空気から血漿に変わったことを検出し、制御部１３は、この気泡センサ３４の検出信号に基づき、第５の流路開閉手段８５を閉塞し、かつ、第３の流路開閉手段８３を開放するよう制御する。
【０１４９】
これにより、採取バッグ側ライン２２、チューブ４３および４４を介して血漿を血漿採取バッグ（第３の容器）２５内に導入、採取する。
【０１５０】
なお、血漿採取バッグ２５は、その重量が重量センサ１６により計測されており、計測された重量信号は制御部１３に入力される。
【０１５１】
次いで、制御部１３は、重量センサ１６からの情報（重量信号）に基づき、血漿採取バッグ２５内に所定量の血漿が採取されたか否かを判断する（図７のステップＳ１０２）。
【０１５２】
なお、この血漿の採取量（所定量）としては、好ましくは１０〜１５０ｇ程度、より好ましくは２０〜４０ｇ程度とされる。
【０１５３】
ステップＳ１０２において、血漿採取バッグ２５内に所定量の血漿が採取されていない場合には、制御部１３は、ステップＳ１０１に戻り、再度、ステップＳ１０１以降を繰り返す。
【０１５４】
また、ステップＳ１０２において、血漿採取バッグ２５内に所定量の血漿が採取された場合には、制御部１３は、本工程［１１］（第１の血漿採取工程）を終了して、定速血漿循環工程に移行する。
【０１５５】
［１２］  次に、血液成分採取装置１は、定速血漿循環工程を行なう。定速血漿循環工程では、血漿採取バッグ２５内の血漿を貯血空間１４６内に通して定速で循環させる。
【０１５６】
定速血漿循環工程では、まず、制御部１３は、血漿の循環を行なう（図７のステップＳ１０３）。
【０１５７】
具体的には、制御部１３の制御により、第１の流路開閉手段８１を閉鎖し、第２の流路開閉手段８２を開放するとともに、第２の送液ポンプ１２を停止し、第１の送液ポンプ１１を所定の回転速度（好ましくは６０〜２５０ｍＬ／min程度、例えば２００ｍＬ／min）で作動（正転）する。
【０１５８】
これにより、採血を一時中断するとともに、血漿採取バッグ２５内の血漿をチューブ４９、５０および採血・返血ライン２１を介して貯血空間１４６内に一定速度で導入し、遠心分離器２０の排出口１４４から流出してきた血漿を採取バッグ側ライン２２、チューブ４３および４４を介して血漿採取バッグ２５内に回収する。すなわち、血漿採取バッグ２５内の血漿を貯血空間１４６内に定速にて循環させる。
【０１５９】
次いで、制御部１３は、定速血漿循環を開始してから所定時間（好ましくは１０〜９０秒程度、例えば３０秒）が経過したか否かを判断する（図７のステップＳ１０４）。
【０１６０】
ステップＳ１０４において、定速血漿循環を開始してから所定時間が経過していない場合には、制御部１３は、ステップＳ１０３に戻り、再度、ステップＳ１０３以降を繰り返す。
【０１６１】
また、ステップＳ１０４において、定速血漿循環を開始してから所定時間が経過した場合には、制御部１３は、本工程［１２］（定速血漿循環工程）を終了して、第２の血漿採取工程に移行する。
【０１６２】
［１３］  次に、血液成分採取装置１は、第２の血漿採取工程を行なう。第２の血漿採取工程では、ローター１４２の貯血空間１４６内に血液を導入し、血液を遠心分離することにより分離された血漿を血漿採取バッグ２５内に採取する。
【０１６３】
なお、この第２の血漿採取工程では、重量センサ１６により血漿の採取量を計測するのに代わり、血漿層１３１とバフィーコート層１３２との界面Ｂの位置を検出する以外、前記工程［１１］（第１の血漿採取工程）と同様の工程を行なう。
【０１６４】
第２の血漿採取工程では、まず、制御部１３は、血漿の採取を行なう（図７のステップＳ１０５）。
【０１６５】
なお、このとき、制御部１３は、第２の流路開閉手段８２を閉塞し、第１の流路開閉手段８１を開放するよう制御する。
【０１６６】
これにより、貯血空間１４６内の赤血球量が増加、すなわち、赤血球層１３３の層厚が増大するのに伴い、界面Ｂも徐々にローター１４２の回転軸方向へ移動する。
【０１６７】
次いで、制御部１３は、光学式センサ１５からの検出信号（界面位置検出情報）に基づき、界面Ｂが所定レベル（第１の位置）に到達したか否かを判断する（図７のステップＳ１０６）。
【０１６８】
なお、この界面Ｂの第１の位置としては、第１の光学式センサ１５からの検出信号（受光部１５２からの出力電圧）が、好ましくは１〜２Ｖ程度となった時点の位置とされる。
【０１６９】
ステップＳ１０６において、界面Ｂが第１の位置に到達していない場合には、制御部１３は、ステップＳ１０５に戻り、再度、ステップＳ１０５以降を繰り返す。
【０１７０】
また、ステップＳ１０６において、界面Ｂが第１の位置に到達した場合には、制御部１３は、本工程［１３］（第２の血漿採取工程）を終了して、加速血漿循環工程に移行する。
【０１７１】
［１４］  次に、血液成分採取装置１は、加速血漿循環工程を行なう。加速血漿循環工程では、血漿採取バッグ２５内の血漿を貯血空間１４６内に加速させながら循環させる。
【０１７２】
加速血漿循環工程では、まず、制御部１３は、血漿の循環を行なう（図７のステップＳ１０７）。
【０１７３】
具体的には、制御部１３の制御により、第１の流路開閉手段８１を閉鎖し、第２の流路開閉手段８２を開放するとともに、第２の送液ポンプ１２を停止し、かつ、第１の送液ポンプ１１の回転速度が一定の加速度にて増加（増大）するように作動（正転）する。
【０１７４】
これにより、採血を一時中断するとともに、血漿採取バッグ２５内の血漿をチューブ４９、５０および採血・返血ライン２１を介して貯血空間１４６内に加速させながら導入し、遠心分離器２０の排出口１４４から流出してきた血漿を採取バッグ側ライン２２、チューブ４３および４４を介して血漿採取バッグ２５内に回収する。すなわち、血漿採取バッグ２５内の血漿を貯血空間１４６内に加速させながら循環させる。
【０１７５】
なお、このとき、制御部１３は、第１の送液ポンプ１１の回転速度を、前記定速血漿循環より遅い速度（初速：例えば６０ｍＬ／min）から、一定の加速度にて増加（増大）するように制御する。
【０１７６】
この加速条件（加速度）としては、好ましくは１〜１０ｍＬ／min／sec程度、より好ましくは３〜６ｍＬ／min／sec程度とされる。また、加速度は、一定でなくてもよく、例えば、前記範囲内で段階的または連続的に変化するものであってもよい。
【０１７７】
次いで、制御部１３は、血漿の貯血空間１４６内への循環速度が所定速度に到達したか否か、すなわち、第１の送液ポンプ１１の回転速度が所定速度（好ましくは１３０〜２５０ｍＬ／min程度、例えば１５５ｍＬ／min）に到達したか否かを判断する（図７のステップＳ１０８）。
【０１７８】
このステップＳ１０８は、血漿の貯血空間１４６内への循環速度が所定速度に到達するまで継続される。
【０１７９】
また、ステップＳ１０８において、血漿の貯血空間１４６内への循環速度が所定速度に到達した場合、制御部１３は、本工程［１４］（加速血漿循環工程）を終了して、第３の血漿採取工程に移行する。
【０１８０】
［１５］  次に、血液成分採取装置１は、第３の血漿採取工程を行なう。第３の血漿採取工程では、ローター１４２の貯血空間１４６内に血液を導入し、血液を遠心分離することにより分離された血漿を血漿採取バッグ２５内に採取する。
【０１８１】
第３の血漿採取工程では、まず、制御部１３は、血漿の採取を行なう（図７のステップＳ１０９）。
【０１８２】
次いで、制御部１３は、第１の送液ポンプ１１の１回転当たりの送液量および回転回数に基づき、血漿採取バッグ２５内に所定量の血漿が採取されたか否かを判断する（図７のステップＳ１１０）。
【０１８３】
なお、この血漿の採取量（所定量）としては、好ましくは２〜３０ｇ程度、より好ましくは５〜１５ｇ程度とされる。
【０１８４】
また、ステップＳ１１０において、血漿採取バッグ２５内に所定量の血漿が採取された場合には、制御部１３は、本工程［１５］（第３の血漿採取工程）を終了して、血小板採取工程に移行する（図８の１に移行する）。
【０１８５】
［１６］  次に、血液成分採取装置１は、血小板採取工程を行なう。血小板採取工程では、血漿採取バッグ２５内の血漿を、貯血空間１４６内に第１の加速度にて加速させながら循環させ、次いで、第１の加速度より大きい第２の加速度に変更して、この第２の加速度にて加速させながら循環させて、貯血空間１４６内より血小板を流出させ、濃厚血小板を中間バッグ２７ａ内に採取（貯留）する。
【０１８６】
血小板採取工程では、まず、制御部１３は、第１の加速度による血漿循環を行なう（図８のステップＳ１１１）。
【０１８７】
具体的には、制御部１３の制御により、第１の流路開閉手段８１を閉塞し、第２の流路開閉手段８２を開放するとともに、第２の送液ポンプ１２を停止し、かつ、第１の送液ポンプ１１の回転速度を第１の加速度にて増加（増大）するよう作動（正転）する。
【０１８８】
これにより、採血を中断するとともに、血漿採取バッグ２５内の血漿をチューブ４９、５０および採血・返血ライン２１を介して貯血空間１４６内に第１の加速度にて加速させながら導入し、遠心分離器２０の排出口１４４から流出してきた血漿を採取バッグ側ライン２２、チューブ４３および４４を介して血漿採取バッグ２５内に回収する。すなわち、血漿採取バッグ２５内の血漿を貯血空間１４６内に第１の加速度にて加速させながら循環させる。
【０１８９】
このとき、貯血空間１４６内に血漿を第１の加速度にて加速させながら循環すると、赤血球層１３３の拡散（層厚の増大）が生じて、界面Ｂも徐々にローター１４２の回転軸方向へ移動する。
【０１９０】
この第１の加速度としては、好ましくは０．５〜１０ｍＬ／min／sec程度、より好ましくは１．５〜２．５ｍＬ／min／sec程度とされる。なお、第１の加速度は、一定でなくてもよく、例えば、前記範囲内で段階的または連続的に変化するものであってもよい。
【０１９１】
また、第１の加速度による血漿循環での第１の送液ポンプ１１の初速としては、好ましくは４０〜１５０ｍＬ／min程度、より好ましくは５０〜８０ｍＬ／min程度とされる。
【０１９２】
次いで、制御部１３は、血漿の貯血空間１４６内への循環速度が所定速度に到達するまで、ステップＳ１１１を継続する（図８のステップＳ１１２）。
【０１９３】
なお、この所定の速度、すなわち、第１の加速度による血漿循環が終了するときの第１の送液ポンプ１１の回転速度としては、好ましくは１００〜１８０ｍＬ／min程度、より好ましくは１４０〜１６０ｍＬ／min程度とされる。
【０１９４】
また、ステップＳ１１２において、血漿の貯血空間１４６内への循環速度が所定速度に到達した場合には、制御部１３は、第２の加速度による血漿循環を行なう（図８のステップＳ１１３）。
【０１９５】
具体的には、制御部１３の制御により、第１の送液ポンプ１１の加速度を、第１の加速度から第２の加速度に変更して、第１の送液ポンプ１１の回転速度を第２の加速度にて増加（増大）するよう作動（正転）する。これにより、血漿採取バッグ２５内の血漿を貯血空間１４６内に第２の加速度にて加速させながら循環させる。
【０１９６】
このとき、貯血空間１４６内に血漿を第２の加速度にて加速させながら循環すると、赤血球層１３３の拡散（層厚の増大）が生じて、界面Ｂも徐々にローター１４２の回転軸方向へ移動するとともに、バフィーコート層１３２中の血小板（ＰＣ）が遠心力に抗して浮上し（舞い上がり）、ローター１４２の排出口１４４へ向って移動する。
【０１９７】
この第２の加速度としては、第１の加速度より大きくなるよう設定され、好ましくは３〜２０ｍＬ／min／sec程度、より好ましくは５〜１０ｍＬ／min／sec程度とされる。なお、第２の加速度は、一定でなくてもよく、例えば、前記範囲内で段階的または連続的に変化するものであってもよい。
【０１９８】
次いで、制御部１３は、血漿の貯血空間１４６内への循環速度が所定速度に到達したか否か、すなわち、第１の送液ポンプ１１の回転速度が所定速度（好ましくは１２０〜３００ｍＬ／min程度、例えば２００ｍＬ／min）に到達したか否かを判断する（図８のステップＳ１１４）。
【０１９９】
ステップＳ１１４において、血漿の貯血空間１４６内への循環速度が所定速度に到達していない場合には、制御部１３は、ステップＳ１１３に戻り、再度、ステップＳ１１３以降を繰り返す。
【０２００】
また、ステップＳ１１４において、血漿の貯血空間１４６内への循環速度が所定速度に到達した場合には、制御部１３は、血漿循環を継続する（図８のステップＳ１１５）。
【０２０１】
具体的には、制御部１３は、第１の送液ポンプ１１の回転速度を、前記ステップＳ１１４における所定速度で維持（保持）するよう制御する。これにより、血漿の貯血空間１４６内への循環速度を、好ましくは１２０〜３００ｍＬ／min程度、例えば２００ｍＬ／minとする。
【０２０２】
次いで、制御部１３は、ステップＳ１１５を開始してから所定時間（好ましくは５〜１５秒程度、例えば１０秒）が経過したか否かを判断する（図８のステップＳ１１６）。
【０２０３】
ステップＳ１１６において、ステップＳ１１５を開始してから所定時間が経過していない場合には、次いで、制御部１３は、濁度センサ１４からの出力電圧（ＰＣ濃度電圧）が所定値（好ましくは２．５〜３．５Ｖ程度、例えば、３．０Ｖ）以下に低下したか否かを判断する（図８のステップＳ１１７）。
【０２０４】
ステップＳ１１７において、濁度センサ１４からの出力電圧が所定値以下に低下していない場合には、制御部１３は、ステップＳ１１５に戻り、再度、ステップＳ１１５以降を繰り返す。
【０２０５】
ステップＳ１１５〜Ｓ１１７を繰り返している間に、ステップＳ１１６において、ステップＳ１１５を開始してから所定時間が経過した場合には、制御部１３は、本工程［１６］（血小板採取工程）を終了して、後述するステップＳ１２２に移行する。
【０２０６】
また、ステップＳ１１７において、濁度センサ１４からの出力電圧が所定値以下に低下した場合には、すなわち、ローター１４２の排出口１４４から血小板が流出するのに伴い、採取バッグ側ライン２２中を流れる血漿中の血小板濃度が所定値以上に到達した場合には、制御部１３は、血小板（ＰＣ）の採取を行なう（図８のステップＳ１１８）。
【０２０７】
具体的には、制御部１３は、濁度センサ１４の検出信号に基づき、第３の流路開閉手段８３を閉塞し、かつ、第４の流路開閉手段８４を開放するよう制御する。
【０２０８】
これにより、採取バッグ側ライン２２、チューブ４３および４５を介して濃厚血小板を中間バッグ２７ａ内へ導入し、採取（貯留）する。なお、このとき、第７の流路開閉手段８７は、閉塞しているため、濃厚血小板は、中間バッグ２７ａ内から流出しない。
【０２０９】
また、制御部１３は、濁度センサ１４からの出力電圧（検出信号）に基づき、中間バッグ２７ａ内の血小板濃度（累積ＰＣ濃度）を算出する。なお、この血小板濃度は、ＰＣ採取を開始してから上昇を続け、一旦、最高濃度に到達した後、下降に転じる。
【０２１０】
次いで、制御部１３は、ＰＣ採取を開始してから所定時間（好ましくは１０〜２５秒程度、例えば１５秒）が経過したか否かを判断する（図８のステップＳ１１９）。
【０２１１】
ステップＳ１１９において、ＰＣ採取を開始してから所定時間が経過していない場合には、次いで、制御部１３は、濁度センサ１４の出力電圧（ＰＣ濃度電圧）が所定値以下に到達したか否かを判断する（図８のステップＳ１２０）。
【０２１２】
この濁度センサ１４の出力電圧の所定値としては、採取バッグ側ライン２２中を流れる血漿中に赤血球の混入が生じる時点付近の値とされ、好ましくは０．５Ｖ以下程度とされる。
【０２１３】
ステップＳ１２０において、濁度センサ１４の出力電圧が所定値以下に到達していない場合には、次いで、制御部１３は、中間バッグ２７ａ内の濃厚血小板が所定量に到達したか否かを判断する（図８のステップＳ１２１）。
【０２１４】
なお、この濃厚血小板の採取量（所定量）としては、好ましくは２０〜１００ｍＬ程度、より好ましくは４０〜８０ｍＬ程度とされる。
【０２１５】
ステップＳ１２１において、中間バッグ２７ａ内の濃厚血小板が所定量に到達しない場合には、制御部１３は、ステップＳ１１８に戻り、再度、ステップＳ１１８以降を繰り返す。
【０２１６】
ステップＳ１１８〜Ｓ１２１を繰り返している間に、ステップＳ１１９において、ＰＣ採取を開始してから所定時間が経過した場合、または、ステップＳ１２０において、濁度センサ１４の出力電圧が所定値以下に到達した場合には、制御部１３は、本工程［１６］（血小板採取工程）を終了して、後述するステップＳ１２２に移行する。
【０２１７】
また、ステップＳ１２１において、中間バッグ２７ａ内の濃厚血小板が所定量に到達した場合には、制御部１３は、第５の流路開閉手段８５を開放し、この他の全ての流路開閉手段８１〜８４、８６、８７を閉塞した状態とし、第１の送液ポンプ１１を停止して、本工程［１６］（血小板採取工程）を終了する。
【０２１８】
［１７］  次に、血液成分採取装置１は、遠心分離器２０を停止する工程を行なう。
この工程では、まず、制御部１３は、遠心分離器２０の減速を行なう（図８のステップＳ１２２）。
【０２１９】
具体的には、制御部１３の制御により、遠心分離器駆動装置１０の回転数を減少して、ローター１４２を減速する。
【０２２０】
さらに、制御部１３は、遠心分離器２０の停止を行なう（図８のステップＳ１２３）。
具体的には、制御部１３の制御により、遠心分離器駆動装置１０の回転を停止して、ローター１４２を停止する。
【０２２１】
［１８］  次に、血液成分採取装置１は、返血工程を行なう。返血工程では、ローター１４２の貯血空間１４６内の血液成分（残りの血液成分）を返血する。
【０２２２】
返血工程では、制御部１３は、返血を行なう（図８のステップＳ１２４）。
具体的には、制御部１３の制御により、第１の流路開閉手段８１および第５の流路開閉手段８５を開放するとともに、第１の送液ポンプ１１を所定の回転速度（好ましくは２０〜１２０ｍＬ／min程度、例えば９０ｍＬ／min）で作動（逆転）する。
【０２２３】
これにより、ローター１４２の貯血空間１４６内に残存する血液成分（主に、赤血球、白血球）は、遠心分離器２０の流入口１４３から排出され、採血・返血ライン２１（採血針２９）を介して供血者に返血（返還）される。
【０２２４】
そして、気泡センサ３２によって遠心分離器２０から排出される空気を検出して、所定の回数だけ第１の送液ポンプ１１を回転した後、第１の流路開閉手段８１および第５の流路開閉手段８５を閉塞するとともに、第１の送液ポンプ１１を停止して、本工程［１８］（返血工程）を終了する。
これにより、第１サイクルの血小板採取操作を終了する。
【０２２５】
［２］  最終サイクルではない第２サイクルの血小板採取操作（図７および図８参照）
続いて、第２サイクルの血小板採取操作を行なう。
【０２２６】
第２サイクルの血小板採取操作では、下記の通り、前記第１サイクルの血小板採取操作と同様の工程を行なう。
【０２２７】
［２１］〜［２８］  前記工程［１１］〜［１８］と同様の工程をそれぞれ行なう。
これにより、第２サイクルの血小板採取操作を終了する。
なお、最終サイクルではない第３サイクル以降の血小板採取操作も同様である。
【０２２８】
［３］  最終サイクルの血小板採取操作（図７および図８参照）
続いて、最終サイクルの血小板採取操作を行なう。
最終サイクルの血小板採取操作では、濃厚血小板から白血球を分離除去する濾過工程を行なうこと以外は、前記第１サイクルの血小板採取操作と同様の工程を行なう。
【０２２９】
［３１］〜［３７］  前記濾過工程を行なうこと以外は、前記工程［１１］〜［１７］と同様の工程をそれぞれ行なう。なお、濾過工程については、後に詳述する。
【０２３０】
［３８］  気泡センサ３５または３６によって遠心分離器２０から排出される空気を検出して、第１の流路開閉手段８１および第５の流路開閉手段８５を閉塞するとともに、第１の送液ポンプ１１を停止して、本工程［３８］（返血工程）を終了すること以外は、前記工程［１８］と同様の工程を行なう。
これにより、最終サイクルの血小板採取操作を終了する。
【０２３１】
次に、濾過工程について説明する。
本実施形態では、第２の血漿採取工程を行なうのとほぼ同時に、制御部１３は、中間バッグ２７ａ内に一時的に採取（貯留）した濃厚血小板を、白血球除去フィルター２６１に供給して、濃厚血小板の濾過、すなわち、濃厚血小板中の白血球の分離除去を行なう。
【０２３２】
具体的には、ステップＳ１０５の前に、制御部１３の制御により、第７の流路開閉手段８７を開放して濾過工程を開始する（図示せず）。なお、濾過工程を開始するタイミングは、これに限定されないことは、言うまでもない。
【０２３３】
これにより、中間バッグ２７ａ内の濃厚血小板を、落差（自重）により、チューブ４６、４７、白血球除去フィルター２６１およびチューブ４８を経て、血小板採取バッグ２６内に移送する。このとき、濃厚血小板は、そのほとんどが、白血球除去フィルター２６１の濾過部材を通過するが、白血球は濾過部材に捕捉される。このため、血小板製剤中の白血球の除去率を極めて高いものとすることができる。
【０２３４】
なお、濃厚血小板の中間バッグ２７ａ内から血小板採取バッグ２６への移送は、ポンプを用いて行なうようにしてもよい。
【０２３５】
また、第７の流路開閉手段８７は、制御部１３の制御により作動するものに代わり、手動によりチューブ４７の流路の途中を開閉し得るクレンメ等であってもよい。
【０２３６】
なお、血小板採取操作は、複数回行なう場合に限定されず、例えば、１回のみ行なってもよい。
【０２３７】
また、血液成分採取回路２の構成も、適宜設定可能であり、図示の構成に限定されない。
【０２３８】
以上説明したような血液成分採取操作を終了し、血液成分採取回路２を装置本体３から取り外す際には、制御部１３は、切替弁９３をターンテーブル側、切替弁９４を大気開放側にそれぞれ切り替えて、真空ポンプ９０を一旦作動させる。これにより、真空ポンプ９０の排気口９０２から吸引回路内へ空気が送り込まれ、ターンテーブル１０４とローター１４２との間の空間の減圧状態が解除されるので、遠心分離器２０をターンテーブル１０４から容易に取り外すことができる。
【０２３９】
また、本発明では、血液成分採取操作における各サイクルの返血工程（血液成分返還工程）において、真空ポンプ９０の作動を休止するようにしてもよい。これにより、真空ポンプ９０の稼働時間がより短くなり、真空ポンプ９０の寿命をさらに長くすることができる。
【０２４０】
また、本発明では、真空ポンプ９０の休止状態のときには、上記実施形態のように真空ポンプ９０の作動を完全に停止するのが最も好ましいが、真空ポンプ９０を完全に停止させずに低速の状態とするようにしてもよい。
【０２４１】
以上、本発明の血液成分板採取装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０２４２】
例えば、本発明の血液成分採取装置は、血小板製剤のみを得る（採取対象の血液成分が濃厚血小板（血小板）のみである）血液成分板採取装置、血漿製剤のみを得る（採取対象の血液成分が血漿のみである）血液成分板採取装置等にも適用することができる。
【０２４３】
また、本発明の血液成分採取装置は、血小板製剤や血漿製剤を得るのに適用する場合に限らず（採取対象の血液成分は、血小板や血漿に限定されず）、例えば、血液中から白血球製剤、赤血球製剤等を製造する場合に適用してもよい（採取対象の血液成分は、白血球や赤血球等であってもよい）。
【０２４４】
また、本発明では、細胞分離フィルター（濾過器）により分離除去する細胞も、白血球に限定されない。
【０２４５】
また、本発明では、光学式センサは、図示のものに限定されず、例えば、ラインセンサ等であってもよい。
【０２４６】
また、本発明の血液成分採取装置の方式は、間欠式に限らず、例えば、連続式であってもよい。
【図面の簡単な説明】
【０２４７】
【図１】本発明の血液成分採取装置の実施形態を示す斜視図である。
【図２】図１に示す血液成分採取装置における血液成分採取回路を展開して示す図である。
【図３】図１に示す血液成分採取装置が備える遠心分離器駆動装置に装着された遠心分離器の部分破断断面図である。
【図４】図１に示す血液成分採取装置が備える遠心分離器駆動装置の断面側面図である。
【図５】遠心分離器を吸着する真空ポンプの吸引回路図である。
【図６】血液成分採取回路の装置本体への装着時からプライミング動作時を経て採血開始に至るまでの、真空ポンプに対する制御部の制御を示すフローチャートである。
【図７】図１および図２に示す血液成分採取装置の作用を説明するためのフローチャートである。
【図８】図１および図２に示す血液成分採取装置の作用を説明するためのフローチャートである。
【符号の説明】
【０２４８】
１              血液成分採取装置
２              血液成分採取回路
３              装置本体
１０            遠心分離器駆動装置
１１            第１の送液ポンプ
１２            第２の送液ポンプ
１３            制御部
１４            濁度センサ
１５            光学式センサ
１５１          投光部
１５２          受光部
１５３          反射板
１６            重量センサ
１７            表示・操作部
２０            遠心分離器
２１            採血・返血ライン
２１ａ          採血針側ライン
２１ｂ          遠心分離器側第１ライン
２１ｃ          分岐コネクター
２１ｄ          チャンバー
２１ｆ          分岐コネクター
２１ｇ          ポンプチューブ
２１ｈ          チューブ
２１ｉ          フィルター
２２            採取バッグ側ライン
２２ｂ          分岐コネクター
２２ｃ          分岐コネクター
２２ｄ          分岐コネクター
２２ｅ          分岐コネクター
２２ｆ          フィルター
２２ｇ          分岐コネクター
２２ｈ          フィルター
２３            抗凝固剤注入ライン
２３ａ          ポンプチューブ
２３ｂ          除菌フィルター
２３ｃ          気泡除去用チャンバー
２３ｄ          抗凝固剤容器接続用針
２５            血漿採取バッグ
２６            血小板採取バッグ
２６１          白血球除去フィルター
２７ａ          中間バッグ
２７ｂ          エアーバッグ
２８            バッグ
２９            採血針
３０            ハウジング
３１〜３６      気泡センサ
３７            遠心部カバー
３８            ヒンジ部
３９            ロックつまみ
４１〜５１      チューブ
６１            バッグ
７０            カセットハウジング
８１〜８７      第１〜第７の流路開閉手段
９０            真空ポンプ
９０１          吸気口
９０２          排気口
９１            ホース
９２、９２１、９２２、９２３  流路
９３、９４      切替弁
９５、９６      流路
９７            圧力センサ
９８            サイレンサ
１０１          モータ
１０２          固定部材
１０３          回転軸
１０４          ターンテーブル
１０５          凹部
１０６          吸引口
１０７          中空部
１０８          シール部材
１３１          血漿層
１３２          バフィーコート層
１３３          赤血球層
１４１          管体
１４２          ローター
１４３          流入口
１４４          排出口
１４５          上部
１４６          貯血空間
１４７          反射面
３０１〜３０３  ハンガー
３０４          ガード部材
３０５          ドレンボウル
Ｓ００１〜Ｓ０２０、Ｓ１０１〜Ｓ１２４  ステップ
【図１】
2006026101.tif 000003
【図２】
2006026101.tif 000004
【図３】
2006026101.tif 000005
【図４】
2006026101.tif 000006
【図５】
2006026101.tif 000007
【図６】
2006026101.tif 000008
【図７】
2006026101.tif 000009
【図８】
2006026101.tif 000010